(57)【特許請求の範囲】
【請求項１】
錠箱の正面にダイヤル部を露出させて収納し、シフトレバー押す事により各ダイヤルの開錠番号を変更できるダイヤル錠と、錠箱正面に回動可能に配設された操作摘みと、該操作摘みの回動軸に固定され、ロッカー扉の開成を阻止する鎌と、該鎌から延設され、前記ダイヤル錠のシフトレバーを押圧する押圧突起と、前記ダイヤル錠の施錠時に突出するロック片と係合し、操作摘みの回動を阻止して前記鎌の突出状態を保持する第１の腕と、前記鎌の復帰時に前記ロック片の突出を制限して、ダイヤル部の操作を制限する第２の腕とを備えたことを特徴とするロッカー用ダイヤル錠。
【請求項２】
前記鎌と、第１の腕と、第２の腕は、一体的に形成され前記操作摘みの回動軸に固定されたことを特徴とする請求項１記載のロッカー用ダイヤル錠。
【請求項３】
前記操作摘みの回動軸は、鍵板を装着した場合のみ回動可能であることを特徴とする請求項１記載のロッカー用ダイヤル錠。
【請求項４】
前記押圧突起がダイヤル錠のシフトレバーを押圧した状態を保持し、ダイヤル錠の開錠番号の変更可能とする設定釦を備えたことを特徴とする請求項１記載のロッカー用ダイヤル錠。
【発明の詳細な説明】
【０００１】
【発明の属する技術分野】
本発明は、体育館やゴルフ場などのスポーツ施設、サウナ風呂等の不特定多数の者が使用するロッカーに設置されるロッカー用ダイヤル錠に関するものである。
【０００２】
【従来の技術】
一般に、従来のロッカー用ダイヤル錠は、鍵を紛失する虞がないので不特定多数の使用者が利用するサウナ風呂やゴルフ場のクラブハウス等で多数使用されている。
【０００３】
【発明が解決しようとする課題】
ところで、上述した従来のロッカー用ダイヤル錠では、ロッカー専用に設計する為に製造コストが嵩む為に、汎用のダイヤル錠をロッカー用に使用する事が切望されていた。また、従来のロッカー用ダイヤル錠では、誰も使用していないロッカーを他人が勝手に扉を閉じて、且つダイヤルを回してしまうと、施錠されてしまい、管理者といえども解錠できなくなってしまうと云う欠点が存在した。このような場合、ロッカーの管理者は、錠前を壊して、別の新たな錠前を付け替える必要があった。
【０００４】
更に、ダイヤル錠と非常用錠前を併用して、非常時には、管理者が非常用錠前で解錠してロッカーを開ける方法のものも提案されている。しかし、この非常用錠前を併用する場合、機構が複雑になると共に、部品点数が増加し、コストがかかると云う欠点が存在した。
【０００５】
本発明の目的は、上述した従来の欠点に鑑みなされたもので、汎用ダイヤル錠を使用してロッカー用錠前とすると共に、正規に鍵板を受け取った者だけがロッカーを施錠する事ができ、他人がイタズラしてロッカーを施錠する事のできないロッカー用ダイヤル錠を提供する事にある。
【０００６】
【課題を解決するための手段】
本発明に係るロッカー用ダイヤル錠は、錠箱の正面にダイヤル部を露出させて収納し、シフトレバー押す事により各ダイヤルの開錠番号を変更できるダイヤル錠と、錠箱正面に回動可能に配設された操作摘みと、該操作摘みの回動軸に固定され、ロッカー扉の開成を阻止する鎌と、該鎌から延設され、前記ダイヤル錠のシフトレバーを押圧する押圧突起と、前記ダイヤル錠の施錠時に突出するロック片と係合し、操作摘みの回動を阻止して前記鎌の突出状態を保持する第１の腕と、前記鎌の復帰時に前記ロック片の突出を制限して、ダイヤル部の操作を制限する第２の腕とを備えたことを特徴とするものである。
【０００７】
前記鎌と、第１の腕と、第２の腕は、一体的に形成され前記操作摘みの回動軸に固定されたことを特徴とするものである。また、前記操作摘みの回動軸は、鍵板を装着した場合のみ回動可能であることを特徴とするものである。また、前記押圧突起がダイヤル錠のシフトレバーを押圧した状態を保持し、ダイヤル錠の開錠番号の変更可能とする設定釦を備えたことを特徴とするものである。
【０００８】
このように、本発明に係るロッカー用ダイヤル錠によれば、汎用のダイヤル錠をロッカー用に使用できると共に、鍵板が無いと施錠する事ができない。
【０００９】
【発明の実施の形態】
以下、添付図面に従って本発明の一実施例を説明する。図１は、本件発明に係るロッカー用ダイヤル錠の施錠状態を示す正面図、図２は同ロッカー用ダイヤル錠の施錠状態を示す背面図、図３は同ロッカー用ダイヤル錠の施錠状態を示す側面図である。ここで、ロッカー用ダイヤル錠は、錠箱１０の正面にダイヤル１１を露出させて収納されたダイヤル錠１２が配設されている。
【００１０】
本実施例では、ダイヤル１１が４個並んだ、４桁のダイヤル錠１２を使用している。ダイヤル１１の数は、これに限る事なく、３個或いは５個、６個等であってもよい。ダイヤル錠１２は、図４，５、１１，１２に示すように中心軸２２の周囲に係合凹欠２３を有したスリーブ２４がダイヤル１１の数だけ枢支され、ダイヤル１１と共に回動する。また、スリーブ２４の外周には、ロック片２５を有したボルト２６が隆起部２６ａで当接するように、ボルトスプリング２７で付勢されている。図１１に示すように隆起部２６ａにスリーブ２４の係合凹欠２３以外の部分が当接している場合、ボルト２６は、ボルトスプリング２７に抗して、ロック片２５をブラケット２８の外部に突出させる。また、図１２に示すように、隆起部２６ａが全てのダイヤル１１のスリーブ２４の係合凹欠２３に落ち込むと、ボルト２６はボルトスプリング２７の付勢力によって、ロック片２５をブラケット２８内に収納させる。
【００１１】
ダイヤル１１の開錠番号を変更する場合、解錠状態の時にシフトレバー１９を中心軸２２の軸線方向に押す。すると、中心軸２２とスリーブ２４は、シャフトスプリング２９の付勢力に抗して、横方向に移動してスリーブ２４とダイヤル１１との係合が解除される。ここで、ダイヤル１１とスリーブ２４とは、ダイヤル１１の内周に形成された、凹凸とダイヤル１１の外周に形成された凹凸とで係合されている。したがって、横方向に移動する事により容易に解除する事ができる。スリーブ２４とダイヤル１１との係合を解除した後、ダイヤル１１を夫々任意の番号にセットし、シフトレバー１９を放すと、新たにセットした番号が解錠番号となる。
【００１２】
また、錠箱１０の正面下端には、操作摘み１３が回動可能に配設されている。操作摘み１３の回動軸１４には、ロッカー扉１６の開成を阻止する鎌１５がビス１７で座金１８を介して固定されている。鎌１５は、ロッカーの框２１と係合する係合凹部１５ａを有すると共に背部には、前記ダイヤル錠１２のシフトレバー１９を押圧する押圧突起２０が形成されている。
【００１３】
また、鎌１５は、第１の腕３０と、第２の腕３１と一体的に形成されている。鎌１５と第１の腕３０と第２の腕３１とは、夫々所定の角度を有しており、鎌１５が施錠位置にある時、第１の腕３０はダイヤル錠１２のブラケット２８から突出したロック片２５と係合し、操作摘み１３の回動を阻止して鎌１５の突出状態を保持する。また、第２の腕３１は、鎌１５の解錠時に、ロック片２５の突出を制限して、ダイヤル１１の操作を制限する。
【００１４】
また、鎌１５の背部に形成された押圧突起２０は、操作摘み１３をロック方向と逆に回動する事により、ダイヤル錠１２のシフトレバー１９を押圧する事ができる。
【００１５】
操作摘み１３の回動軸１４の先端は、両端が平行に切削され偏平角軸１４ａに形成されている。この偏平角軸１４ａの先端に鎌１５等が一体的にビス１７で固定されている。また、この偏平角軸１４ａと直角に凹形係止部材３２が配設されており、バネ３３で凹形係止部材３２に形成された嵌合凹部３２ａが偏平角軸１４ａに係合する方向に付勢されている。したがって、図６に示すように通常、偏平角軸１４ａは、凹形係止部材３２と係合しており、操作摘み１３を廻して鎌１５をセットする事ができない。
【００１６】
ダイヤル錠１２を操作する場合は、鍵板３４を挿入し、図７に示すように偏平角軸１４ａと係合している凹形係止部材３２をバネ３３に抗して押し下げる。凹形係止部材３２を押し下げる事により、偏平角軸１４ａ及び回動軸１４は回動する事ができる。
【００１７】
鍵板３４は、先端に丸い凹部３４ａが形成されており、この凹部３４ａは偏平角軸１４ａが回転可能な径を有している。また、鍵板３４は、係合孔３４ｂを有しており、錠箱１０内から立設された弾性体３５に形成された係合片３５ａと係合可能となっている。更に、鍵板３４の頂部には、摘み片３４ｃが形成されており、錠箱１０の背面に形成した挿入孔３６からの着脱を容易にしている。
【００１８】
設定釦３７は、錠箱１０の背面の頂部に突設されており、押下する事により下端部が図１０に示すように第２の腕３１を矢印Ａ方向に回動させる。第２の腕３１が矢印Ａ方向に回動されると、押圧突起２０がダイヤル錠１２のシフトレバー１９を図中左方向に押圧し、ダイヤル錠の解錠番号の変更を可能とする。また、設定釦３７は、図外のバネによって突出方向に常時付勢されており、押下した場合、係止片３７ａが錠箱１０の裏蓋の一部に係止して押下状態を維持する。押下状態を解除する場合、解除片３７ｂを押すと係止片３７ａが解除されてバネ力によって復帰する。
【００１９】
次に、以上のように構成されたロッカー用ダイヤル錠の動作について説明する。先ず、施錠する場合には、ロッカー扉を閉じてから操作摘み１３を反時計方向に回し、鎌１５を框２１に係合させる（図１参照）。次に、ダイヤル１１を解錠番号以外の数字に合わせる。すると、ダイヤル錠１２のロック片２５が突出して第１の腕３０の移動を制限する（図８，１１参照）。第１の腕３０の回動が制限される事により、これと一体に形成された鎌１５の突出状態が保持されロッカーが施錠される。また、鎌１５が框２１と係合していない状態で、ダイヤル錠１２のみを施錠しようとすると、図９、図１２に示すように第２の腕３１がロック片２５の突出を制限している。したがって、ダイヤル１１を廻す事ができず、ダイヤル錠１２の施錠ができない。
【００２０】
解錠する場合、ダイヤル錠１２のダイヤル１１を夫々の開錠番号に合わせる。今まで突出していたロック片２５がボルトスプリング２７の付勢力によって後退し、第１の腕３０の回動制限が解除される。この状態で操作摘み１３を時計方向に廻すと、鎌１５が框２１から外れ、ロッカー扉１６を開く事ができる。
【００２１】
ロッカー扉１６を開いた状態では、錠箱１０の裏面に装着した鍵板３４を挿入孔３６から抜き取る事ができる。鍵板３４を抜き取ると、図６に示すように操作摘み１３の回動軸１４が凹形係止部材３２によって規制され、操作摘み１３を廻す事ができない。この鍵板３４を管理する事により、スポーツ施設等において、他人がイタズラして使用されていないロッカーを施錠する事のできないようにする事ができる。つまり、鍵板３４を持った正規の使用者のみがロッカーの施錠ができる。
【００２２】
鍵板３４が挿入孔３６から装着されると、図７に示すように凹形係止部材３２がバネ３３に抗して押し下げられ、偏平角軸１４ａが凹形係止部材３２の嵌合凹部３２ａから外れ自由に回動できる。鍵板３４は、係合孔３４ｂに係合片３５ａが係合する事により、装着状態を維持する。引き抜く場合、摘み片３４ｃを持って上に引けば、弾性体３５が撓み、係合孔３４ｂと係合片３５ａの係合が外れる。
【００２３】
次に、解錠番号を変更する場合は、設定釦３７を押し下げる。すると、設定釦の下端が第２の腕３１を矢印Ａ方向に回動させる（図１０参照）。第２の腕３１が矢印Ａ方向に回動すると、これと一体的に構成された押圧突起２０がダイヤル錠１２のシフトレバー１９を図中左方向に移動させる。
【００２４】
シフトレバー１９を押圧する事により、ダイヤル錠１２の新たな解錠番号の設定が可能となる。番号設定後、解除片３７ｂをおすと、バネ力によって設定釦３７が復帰して、解錠番号が決定される。この様にして、使用者は任意の解錠番号を設定する事ができる。
【００２５】
尚、以上の実施例では、鎌１５は、第１の腕３０と、第２の腕３１と一体的に形成された場合について説明したが、別体に構成してもよい。また、本発明は以上の実施例に限ることなく本発明の技術思想に基づいて種々の設計変更が可能である。
【００２６】
【発明の効果】
以上詳細に説明したように、本発明に係るロッカー用ダイヤル錠によれば、錠箱の正面にダイヤル部を露出させて収納し、シフトレバー押す事により各ダイヤルの開錠番号を変更できるダイヤル錠と、錠箱正面に回動可能に配設された操作摘みと、該操作摘みの回動軸に固定され、ロッカー扉の開成を阻止する鎌と、該鎌から延設され、前記ダイヤル錠のシフトレバーを押圧する押圧突起と、前記ダイヤル錠の施錠時に突出するロック片と係合し、操作摘みの回動を阻止して前記鎌の突出状態を保持する第１の腕と、前記鎌の復帰時に前記ロック片の突出を制限して、ダイヤル部の操作を制限する第２の腕とを備えたので、汎用のダイヤル錠をロッカー用に使用する事ができる。
【００２７】
前記操作摘みの回動軸は、鍵板を装着した場合のみ回動可能であるので、鍵板を所有した正規の使用者のみがロッカーを施錠する事ができ、他人がイタズラで施錠する事ができない。また、鍵板を抜き取ると施錠が不可能となり、ロッカーの管理が容易となる。
【００２８】
前記押圧突起がダイヤル錠のシフトレバーを押圧した状態を保持し、ダイヤル錠の開錠番号の変更可能とする設定釦を備えたので、ダイヤル錠の開錠番号の変更作業が容易である。
【図面の簡単な説明】
【図１】本件発明に係るロッカー用ダイヤル錠の施錠状態を示す正面図である。
【図２】同ロッカー用ダイヤル錠の施錠状態を示す背面図である。
【図３】同ロッカー用ダイヤル錠の施錠状態を示す側面図である。
【図４】本発明に使用されるダイヤル錠の平面図である。
【図５】同ダイヤル錠の側面図である。
【図６】本発明のロッカー用ダイヤル錠に鍵板を装着してない状態を示す説明図である。
【図７】同ロッカー用ダイヤル錠に鍵板を装着した状態を示す説明図である。
【図８】同ロッカー用ダイヤル錠の施錠状態を示す裏蓋を外した背面図である。
【図９】同ロッカー用ダイヤル錠の解錠状態を示す裏蓋を外した背面図である。
【図１０】同ロッカー用ダイヤル錠の開錠番号の変更可能状態を示す裏蓋を外した背面図である。
【図１１】同ロッカー用ダイヤル錠の施錠状態における第１の腕とロック片との関係を示す裏蓋を外した縦断面である。
【図１２】同ロッカー用ダイヤル錠の解錠状態における第２の腕とロック片との関係を示す裏蓋を外した縦断面である。
【符号の説明】
１０          錠箱
１１          ダイヤル
１２          ダイヤル錠
１３          操作摘み
１４          回動軸
１４ａ        偏平角軸
１５          鎌
１５ａ        係合凹部
１６          ロッカー扉
１７          ビス
１８          座金
１９          シフトレバー
２０          押圧突起
２１          框
２２          中心軸
２３          係合凹欠
２４          スリーブ
２５          ロック片
２６          ボルト
２６ａ        隆起部
２７          ボルトスプリング
２８          ブラケット
２９          シャフトスプリング
３０          第１の腕
３１          第２の腕
３２          凹形係止部材
３２ａ        嵌合凹部
３３          バネ
３４          鍵板
３４ａ        凹部
３４ｂ        係合孔
３４ｃ        摘み片
３５          弾性体
３５ａ        係合片
３６          挿入孔
３７          設定釦
３７ａ        係止片
３７ｂ        解除片
【図１】
0004022290.tif 000002
【図２】
0004022290.tif 000003
【図３】
0004022290.tif 000004
【図４】
0004022290.tif 000005
【図５】
0004022290.tif 000006
【図６】
0004022290.tif 000007
【図７】
0004022290.tif 000008
【図８】
0004022290.tif 000009
【図９】
0004022290.tif 000010
【図１０】
0004022290.tif 000011
【図１１】
0004022290.tif 000012
【図１２】
0004022290.tif 000013